(57)【要約】【課題】簡易な構造で操作性を向上する。【解決手段】キートップモジュール５の上ケース１への組み付けは、揺動軸５５を上ケース１の軸受部１４に枢着し、キートップモジュール５の二つのボス孔５３に上ケース１の二つのボス１３を圧入して嵌挿することにより行う。ここで、このようにキートップモジュール５を上ケース１に組み付けた状態において、操作キートップ５１の上面は、上ケース１の後部に向かって下方に傾斜したテーパ部分に、当該テーパ部分の上面と略同一の高さで略同一の傾斜をもって配置される。また、操作キートップ５１は、ユーザの押し下げ操作に応じて、可撓部５４の付勢力による復元力を持って、揺動軸５５を揺動軸５５として後部が下方に移動するように揺動し、プッシュスイッチの操作を行う下部の突起５６が下方に移動する。【選択図】図６
2008170372.tif 000002
【特許請求の範囲】
【請求項１】
概略直方体形状のケースに測定機能部を収容した、手持ち操作されるハンドヘルド型の測定装置であって、
前記ケースに収容された、前記ケースの上面に表示面が配置された表示装置と、
前記ケースの上面に配置された操作キーとを有し、
前記ケースの上面は、後部部分よりも前部部分の高さが高く形成されており、かつ、前記前部部分と前記後部部分との間に、前記前部部分と後部部分を連結する、後部に向けて下方に傾斜した傾斜部分を有し、
前記表示面は前記ケースの上面の前部部分に配置されており、
前記操作キーは前記ケースの上面の前記傾斜部分に、当該操作キーの上面の高さ及び傾斜が、前記ケースの上面の前記傾斜部分の高さ及び傾斜に揃うように配置されていることを特徴とするハンドヘルド型の測定装置。
【請求項２】
請求項１記載のハンドヘルド型の測定装置であって、
前記操作キーは、ユーザの押し下げ操作に応じて、前端を揺動軸として後端が下方に揺動して、前記ケースに収容されたスイッチを作動するように設けられていることを特徴とするハンドヘルド型の測定装置。
【請求項３】
請求項２記載の測定装置であって、
前記ケースの上面に配置された第２のキーを有し、
前記操作キーと前記第２のキーは単一のキーモジュールとして一体として形成されており、
前記キーモジュールは、前記操作キーの前端に設けられた左右方向に延びる軸部と、前記操作キーの後端に連結した第１の可撓部と、前記第１の可撓部に連結した固定部と、前記固定部と前記第２のキーとに連結した第２の可撓部とを有し、
前記ケースの上壁の内面側には、前記軸部を枢着する軸受部と、前記固定部を上ケースに固着するための固定構造部とが設けられていることを特徴とするハンドヘルド型の測定装置。
【請求項４】
概略直方体形状のケースに測定機能部を収容した、手持ち操作されるハンドヘルド型の測定装置であって、
前記ケースの左右側壁に各々固着された、左右一対のグリップ部材を有し、
前記ケースは、当該ケースの上部を形成する上部ケースと、当該ケースの下部を形成する下部ケースとより構成され、
前記上部ケースの左右側壁には、各々、前後方向に配列された複数の、上部部分において前後方向の幅が狭められた孔が設けられており、
前記下部ケースの左右側壁には、各々、前後方向に配列された複数の、下部部分において前後方向の幅が狭められ孔が設けられており、
前記ケースの左側壁に固着されるグリップ部材の右側面の上部には、前記上部ケースの左側壁の孔の各々に対応して設けられた、前後方向に配列された複数の第１のフックを有し、前記ケースの右側壁に固着されるグリップ部材の左側面の上部には、前記上部ケースの右側壁の孔の各々に対応して設けられた、前後方向に配列された複数の第２のフックを有し、前記ケースの左側壁に固着されるグリップ部材の右側面の下部には、前記下部ケースの左側壁の孔の各々に対応して設けられた、前後方向に配列された複数の第３のフックを有し、前記ケースの右側壁に固着されるグリップ部材の左側面の下部には、前記下部ケースの右側壁の孔の各々に対応して設けられた、前後方向に配列された複数の第４のフックを有し、
前記第１のフックと第２のフックの先端には前後方向に屈曲した鈎形状部が形成されており、当該第１のフックと第２のフックの鈎形状部の前後方向の幅は、対応する孔の下部部分の前後方向の幅より小さく、対応する孔の上部部分の前後方向の幅より大きく、かつ、当該第１のフックと第２のフックの鈎形状部は、各々前記上部ケースの対応する孔の上部部分の前後の周縁部に掛止されており、
前記第３のフックと第４のフックの先端には前後方向に屈曲した鈎形状部が形成されており、当該第３のフックと第４のフックの鈎形状部の前後方向の幅は、対応する孔の上部部分の前後方向の幅より小さく、対応する孔の下部部分の前後方向の幅より大きく、かつ、当該第３のフックと第４のフックの鈎形状部は、各々前記下部ケースの対応する孔の下部部分の前後の周縁部に掛止されていることを特徴とするハンドヘルド型の測定装置。
【発明の詳細な説明】
【技術分野】
【０００１】
本発明は、ハンドヘルド型測定装置の構造に関するものである。
【背景技術】
【０００２】
ハンドヘルド型測定装置としては、ハンドヘルド型測定装置の各種操作ボタンと、測定結果等を表す表示装置の表示画面とを、ハンドヘルド型測定装置の上面にまとめて配置した装置が知られている（たとえば、特許文献１）。
【特許文献１】特開2006-214891号公報
【発明の開示】
【発明が解決しようとする課題】
【０００３】
前記特許文献１記載のハンドヘルド型測定装置によれば、各種操作ボタンがハンドヘルド型測定装置の上面から突出する形態で設けられているため、ハンドヘルド型測定装置をポケットに入れて携帯しているときに、何らかのはずみで意図せぬボタン操作が行われてしまうことがあった。一方で、このような意図せぬボタン操作の発生を抑止するために、操作の受け付けを禁止するための、簡易に操作できないように構成したホールドススイッチを設けると、装置構造が複雑化してしまうと共に、使用開始時の操作性が劣化する。
【０００４】
また、特許文献１記載のハンドヘルド型測定装置は、ハンドヘルドする際のグリップ性向上のために特段の構造を備えていないため、その操作性が必ずしも充分ではなかった。ここで、適当な素材を用いた滑り止め部材などをハンドヘルド型測定装置の使用者によって握持される部分に設けるようにすればグリップ性は向上するが、このようにすると装置構造が複雑化してしまう。
【０００５】
そこで、本発明は、良好な操作性と、構造の簡易性を兼ね備えたハンドヘルド型測定装置を提供することを課題とする。
【課題を解決するための手段】
【０００６】
前記課題達成のために本発明は、概略直方体形状のケースに測定機能部を収容した、手持ち操作されるハンドヘルド型の測定装置を、前記ケースに収容された、前記ケースの上面に表示面が配置された表示装置と、前記ケースの上面に配置された操作キーとより構成したものである。ただし、前記ケースの上面は、後部部分よりも前部部分の高さが高く形成されており、かつ、前記前部部分と前記後部部分との間に、前記前部部分と後部部分を連結する、後部に向けて下方に傾斜した傾斜部分を有する。また、前記表示面は前記ケースの上面の前部部分に配置されており、前記操作キーは前記ケースの上面の前記傾斜部分に、当該操作キーの上面の高さ及び傾斜が、前記ケースの上面の前記傾斜部分の高さ及び傾斜に揃うように配置されているものである。
【０００７】
このようなハンドヘルド型の測定装置によれば、操作キーは、その上面が、ケースの上面の前記傾斜部分と揃うように配置される。したがって、操作キーがケースが突出していないので、測定装置をポケットなどに携帯しているときに、何らかのはずみで操作キートップの意図せぬ操作が行われてしまうことが抑制される。また、ケースの後方に向かって下方に傾斜した傾斜部分に、操作キーを設けているので、ユーザは、ケースの後部部分を握持して、前部部分の表示面を見ながら、握持している当該後部部分の面まで操作キーを押し下げ等する自然な動作形態で、その操作を行うことができるようになる。
【０００８】
ここで、このようなハンドヘルド型の測定装置において、前記操作キーは、ユーザの押し下げ操作に応じて、前端を揺動軸として後端が下方に揺動して、前記ケースに収容されたスイッチを作動するように設けることが、その操作性の向上のために好ましい。
また、前記ケースの上面に配置された第２のキーを設ける場合には、前記操作キーと前記第２のキーは単一のキーモジュールとして一体として形成してもよい。また、この場合には、前記キーモジュールを、前記操作キーの前端に設けられた左右方向に延びる軸部と、前記操作キーの後端に連結した第１の可撓部と、前記第１の可撓部に連結した固定部と、前記固定部と前記第２のキーとに連結した第２の可撓部とより構成すると共に、前記ケースの上壁の内面側に、前記軸部を枢着する軸受部と、前記固定部を上ケースに固着するための固定構造部とを設けるようにしてもよい。
このようにすることにより、簡易かつ少ない部品点数で、複数のキーを構成することができるようになる。
【０００９】
また、前記課題達成のために、本発明は、概略直方体形状のケースに測定機能部を収容した、手持ち操作されるハンドヘルド型の測定装置を、前記ケースの左右側壁に各々固着された、左右一対のグリップ部材を含めて構成したものである。ただし、前記ケースは、当該ケースの上部を形成する上部ケースと、当該ケースの下部を形成する下部ケースとより構成され、前記上部ケースの左右側壁には、各々、前後方向に配列された複数の、上部部分において前後方向の幅が狭められた孔が設けられており、前記下部ケースの左右側壁には、各々、前後方向に配列された複数の、下部部分において前後方向の幅が狭められ孔が設けられているものである。また、前記ケースの左側壁に固着されるグリップ部材の右側面の上部には、前記上部ケースの左側壁の孔の各々に対応して設けられた、前後方向に配列された複数の第１のフックを有し、前記ケースの右側壁に固着されるグリップ部材の左側面の上部には、前記上部ケースの右側壁の孔の各々に対応して設けられた、前後方向に配列された複数の第２のフックを有し、前記ケースの左側壁に固着されるグリップ部材の右側面の下部には、前記下部ケースの左側壁の孔の各々に対応して設けられた、前後方向に配列された複数の第３のフックを有し、前記ケースの右側壁に固着されるグリップ部材の左側面の下部には、前記下部ケースの右側壁の孔の各々に対応して設けられた、前後方向に配列された複数の第４のフックを有するものである。
【００１０】
また、前記第１のフックと第２のフックの先端には前後方向に屈曲した鈎形状部が形成されており、当該第１のフックと第２のフックの鈎形状部の前後方向の幅は、対応する孔の下部部分の前後方向の幅より小さく、対応する孔の上部部分の前後方向の幅より大きく、かつ、当該第１のフックと第２のフックの鈎形状部は、各々前記上部ケースの対応する孔の上部部分の前後の周縁部に掛止されており、前記第３のフックと第４のフックの先端には前後方向に屈曲した鈎形状部が形成されており、当該第３のフックと第４のフックの鈎形状部の前後方向の幅は、対応する孔の上部部分の前後方向の幅より小さく、対応する孔の下部部分の前後方向の幅より大きく、かつ、当該第３のフックと第４のフックの鈎形状部は、各々前記下部ケースの対応する孔の下部部分の前後の周縁部に掛止されているものである。
【００１１】
このような測定装置によれば、簡易な構造によってグリップ部材の上下両側端の複数箇所において強固にグリップ部材を測定装置の左右に安定的に組み付けることができ、ハンドヘルドする際の測定装置のグリップ性の向上を実現することができる。また、グリップ部材に、上部ケースと下部ケースの連結やつなぎ目のカバーとしての役割を兼ねさせることができ、測定装置の構造の簡易化を図ることができる。また、さらに、グリップ部材の第１のフックと第２のフックの鈎形状部を上部ケースの対応する孔の下部に挿入し、グリップ部材の第３のフックと第４のフックの鈎形状部を下部ケースの対応する孔の上部に挿入し、上部ケースと下部ケースを上下から力を加えて挟みつけて、第１のフックと第２のフックの鈎形状部を、各々前記上部ケースの対応する孔の上部部分の前後の周縁部に掛止させ、第３のフックと第４のフックの鈎形状部を、各々前記下部ケースの対応する孔の下部部分の前後の周縁部に掛止させるだけの簡単な作業で、グリップ部材を確実にケースに組み付けることができるようになる。
【発明の効果】
【００１２】
以上のように、本発明によれば、良好な操作性と、構造の簡易性を兼ね備えたハンドヘルド型測定装置を提供することができる。
【発明を実施するための最良の形態】
【００１３】
以下、本発明の実施形態を、ハンドヘルド型の光学式のタコメータへの適用を例にとり説明する。
図１に、本実施形態に係るタコメータの外観を示す。
図中、ａがタコメータの前面を、ｂがタコメータの上面を、ｃがタコメータの後面を、ｄがタコメータの左側面を、ｅがタコメータの右側面を、ｆがタコメータの底面を表しており、図中、ｇがタコメータを上方より斜視したようすを表している。
図示するように、タコメータの上面には、測定スイッチの操作部である測定キートップ５１と二つのコマンドスイッチの操作部であるコマンドキートップ５２と、測定結果等を表示するための液晶表示装置の表示画面６１と、インジケータランプ７が設けられている。また、タコメータの前面には、被測定体に回転検出用の光を投射し被測定体で反射した光を入射するための投入射部８が設けられている。
【００１４】
そして、タコメータの内部には、液晶表示装置や電気回路基盤及び光学系よりなる機能部が収容されており、これら機能部は以下の動作を行う。すなわち、測定スイッチが使用者によって押し下げられると測定スイッチの押し下げが止んでから所定期間経過するまで、タコメータの電源をオンとする。そして、測定スイッチが使用者によって押し下げられている間、光を生成してレンズから投射し、レンズに入射する当該光の反射光の強度変化に応じて、被測定体の回転数を算定し、表示装置の表示画面６１に表示すると共に、反射光の検出の有無をインジケータランプ７の点灯によって表示する。また、電源がオンである期間中に、コマンドスイッチの操作が行われると、その操作内容に応じた動作を行う。
【００１５】
さて、このようなタコメータの筐体は、上ケース１と下ケース２と左右のグリップ部材３と、バッテリ蓋４より構成される。
図２に、上ケース１の構造を示す。
図中、ａが上ケース１の前面を、ｂが上ケース１の上面を、ｃが上ケース１の後面を、ｄが上ケース１の左側面を、ｅが上ケース１の右側面を、ｆが上ケース１の底面を表しており、図中、ｇが上ケース１を上方より斜視したようす、ｈが上ケース１を下方から斜視したようすを表している。
【００１６】
図示するように、上ケース１は、概略、下面が開放された箱形状を有する。
そして、上ケース１の上壁には、液晶表示装置の表示画面６１と測定キートップ５１と二つのコマンドキートップ５２とインジケータランプ７とをタコメータ上面に露出させるための開口を有する。ここで、上ケース１の上面は、前部部分が後部部分よりも上方に高くなる段差形状を有し、この段差形状の段差は後部が前部よりも低くなる傾斜を有するテーパ部分で連結されている。そして、この上方に高くなっている前部部分に液晶表示装置の表示画面６１とインジケータランプ７とをタコメータ上面に露出させるための開口が設けられ、テーパ部分に、測定キートップ５１と二つのコマンドキートップ５２とをタコメータ上面に露出させるための開口が設けられている。
【００１７】
また、上ケース１の上壁の下面には、雌ネジが切られた突部１１と、二カ所の鈎受１２と、二つのボス１３と、軸受部１４とが設けられている。また、上ケース１の左右側壁には、グリップ部材３の取り付けに用いる、図２ｊに拡大して示すような前後方向幅が上部において狭まった凸の字形状の孔である凸字形状孔１５が複数設けられている。
【００１８】
次に、図３に下ケース２の構造を示す。
図中、ａが下ケース２の前面を、ｂが下ケース２の上面を、ｃが下ケース２の後面を、ｄが下ケース２の左側面を、ｅが下ケース２の右側面を、ｆが下ケース２の底面を表しており、図中、ｇが下ケース２を上方より斜視したようすを、ｈが下ケース２を下方から斜視したようすを表している。
【００１９】
図示するように下ケース２は、概略、上面が開放された箱形状を有する。
そして、下ケース２には、上ケース１の突部１１に設けられた雌ネジと螺号するネジを貫通させるネジ孔２１を有する。また、下ケース２の下壁の上面には、上ケース１の二カ所の鈎受１２と係合する二つの鈎部２２が設けられている。また、下ケース２の下面には、タコメータの電源となるバッテリを収容する凹形状部２３が形成されており、この凹形状部２３を覆うように、バッテリ蓋４は装着される。
【００２０】
また、上ケース１の左右側壁には、グリップ部材３の取り付けに用いる、図３ｊに拡大して示すような前後方向幅が下部において狭まった逆凸の字形状の孔である逆凸字形状孔２４が複数設けられている。
次に、タコメータの左右側面に設けられるグリップ部材３の構造を示す。ここでタコメータの左側面に設けられるグリップ部材３と、右側面に設けられるグリップ部材３とは左右対称な構造を有しているので、ここでは右側面に設けられるグリップ部材３を代表例にとりグリップ部材３の構造を示す。
【００２１】
図４にタコメータの右側面に設けられるグリップ部材３の構造を示す。
図中、ａがグリップ部材３の前面を、ｂがグリップ部材３の上面を、ｃがグリップ部材３の後面を、ｄがグリップ部材３の左側面を、ｅがグリップ部材３の右側面を、ｆがグリップ部材３の底面を表しており、図中、ｇがグリップ部材３を右方より斜視したようす、ｈがグリップ部材３を左方から斜視したようすを表している。
【００２２】
図示するように、グリップ部材３は、概略、長板形状を有し、弾力性ある素材を用いて構成されている。
そして、グリップ部材３の右面は滑り止め用の凸凹形状部３１を備えた形状を有している。また、左面の上部に、グリップ部材３の上ケース１への取り付けに用いるフック３２が複数前後方向に並べて設けられ、左面の下部に、グリップ部材３の上ケース１への取り付けに用いるフック３２が複数前後方向に並べて設けられている。
【００２３】
ここで、この各フック３２は、図４Ｊに拡大して示すように、その先端が前後方向に鈎状に屈曲して前後方向幅が広がった形状を有している。
さて、次に、前述した測定キートップ５１と二つのコマンドキートップ５２は、図５に示すようなキートップモジュール５として、一体として形成されている。
図中、ａがキートップモジュール５の前面を、ｂがキートップモジュール５の上面を、ｃがキートップモジュール５の後面を、ｄがキートップモジュール５の左側面を、ｅがキートップモジュール５の右側面を、ｆがキートップモジュール５の底面を表しており、図中、ｇがキートップモジュール５を上方より斜視したようす、ｈがキートップモジュール５の図中ｂの断面線ＡＡによる断面を表している。
【００２４】
図示するようにキートップモジュール５には、左右二つのボス孔５３が設けられており、左のボス孔５３と測定キートップ５１の後部左側部と、左のボス孔５３と左のコマンドキートップ５２の上部とが、それぞれ可撓部５４で連結されている。また、右のボス孔５３と測定キートップ５１の右部左側部と、右のボス孔５３と右のコマンドキートップ５２の上部とが、それぞれ可撓部５４で連結されている。また、測定キートップ５１の前部には揺動軸５５が設けられている。
【００２５】
そして、測定キートップ５１の底面とコマンドキートップ５２の底面には、測定スイッチやコマンドキースイッチとして各々用いられるプッシュスイッチの操作面の押し下げを行うための突起５６が設けられている。
また、図ｈの断面に示すように、測定キートップ５１は、前部から後部に向かって下方に傾斜した形状を有している。
さて、このようなタコメータの組み立ては次のように行う。
まず、図５に示したキートップモジュール５の図２に示した上ケース１への組み付けは、上ケース１へのキートップモジュール５を組み付けたようすを下方から表す図６ａや、図６ａの断面線ＢＢによる断面を表す図６ｂに示すように、キートップモジュール５の揺動軸５５を上ケース１の軸受部１４に枢着し、キートップモジュール５の二つのボス孔５３に上ケース１の二つのボス１３を圧入して嵌挿することにより行われる。
【００２６】
ここで、この状態において、キートップモジュール５の操作キートップ５１と二つのコマンドキートップ５２は、それぞれ、上ケース１に設けられた開口に上部が遊嵌して上面が露出した形態となる。また、キートップモジュール５の操作キートップ５１の、ユーザの押し下げ操作に応じて、操作キートップ５１とボス孔５３との間の可撓部５４は撓み、操作キートップ５１は、図６ｃに示すように、可撓部５４の撓みに抗する付勢力による復元力を持ちつつ、揺動軸５５を回転軸として後部が下方に移動するように揺動し、操作キートップ５１の下部の突起５６が下方に移動する。また、コマンドキートップ５２のユーザの押し下げ操作に応じて、押し下げ操作されたコマンドキートップ５２とボス孔５３との間の可撓部５４は撓み、当該コマンドキートップ５２は、可撓部５４の撓みに抗する付勢力による復元力を持ちつつ、ボス孔５３を固定点として後部が下方に移動するように揺動し、当該コマンドキートップ５２の下部の突起５６が下方に移動する。
【００２７】
ここで、このようにキートップモジュール５を上ケース１に組み付けた状態において、図６ｂ、ｃに示すように、操作キートップ５１の上面は、上ケース１の後部が下方に傾斜したテーパ部分の上面と略同一の高さで略同一の傾斜をもって配置される。したがって、タコメータをポケットなどに携帯しているときに、何らかのはずみで操作キートップ５１の意図せぬ操作が行われてしまうことが抑制される。また、上ケース１の後方に向かって下方に傾斜したテーパ部分に、押し下げ式の各キートップを設けているので、ユーザは、タコメータの後部部分を握持した状態で、握持しているタコメータの後部部分の面まで各キートップを押しつけるだけの自然な動作形態で、各キートップの操作を行うことができるようになる。
【００２８】
次に、上ケース１と下ケース２と二つのグリップ部材３の組み立ては次のように行う。
すなわち、まず、図７ａ１-ｂ１に示すように、液晶表示装置６や、測定スイッチとして用いるプッシュスイッチ８１やコマンドスイッチとして用いるプッシュスイッチ８２などを搭載した回路基板９を搭載した下ケース２の左側壁の逆凸字形状孔２４のそれぞれに、左側のグリップ部材３の下側のフック３２の各々を挿入し、下ケース２の右側壁の逆凸字形状孔２４のそれぞれに、右側のグリップ部材３の下側のフック３２の各々を挿入する。
【００２９】
ここで、この状態において、各グリップ部材３の下側のフック３２は、図７ｂ２に示すように下ケース２の側壁の逆凸字形状孔２４の上部の前後方向幅が広い部分に挿入された状態となる。
次に、図７ｃ１に示すキートップモジュール５を組み付けた上ケース１を、図７ｃ２に示すように、下ケース２の上方に平行に配置し、上ケース１の左側壁の凸字形状孔１５のそれぞれに、左側のグリップ部材３の上側のフック３２の各々を挿入し、上ケース１の右側壁の凸字形状孔１５のそれぞれに、右側のグリップ部材３の上側のフック３２の各々を挿入する。
【００３０】
ここで、この状態において、図７ｃ２及び図７ｃ２中のフック３２部分の拡大図である図７ｃ３に示すように、各グリップ部材３の下側のフック３２は、下ケース２の側壁の逆凸字形状孔２４の上部の前後方向幅が広い部分に挿入された状態となり、各グリップ部材３の上側のフック３２は、上ケース１の側壁の凸字形状孔１５の下部の前後方向幅が広い部分に挿入された状態となる。
【００３１】
そこで、次に、図７ｄ１に矢印で示すように、上ケース１と下ケース２を上下から力を加えて挟みつけ、図７ｄ２及び図７ｄ２中のフック３２部分の拡大図である図７ｄ３に示すように、各グリップ部材３の下側のフック３２の根本の前後方向幅が狭い部分を、下ケース２の側壁の逆凸字形状孔２４の下部の前後方向幅が狭い部分に押し入れ、各グリップ部材３の上側のフック３２の根本の前後方向幅が狭い部分を、上ケース１の側壁の凸字形状孔１５の上部の前後方向幅が狭い部分に押し入れる。また、このとき、併せて、上ケース１の前部の鈎受１２に、下ケース２の前部に設けられた鈎部２２が嵌り込むことになる。
【００３２】
ここで、この状態において、各グリップ部材３は、図７ｄ４の上下方向から見たフック３２と上ケース１/下ケース２との関係に示すように、フック３２の先端の鈎状部分が凸字形状孔１５/逆凸字形状孔２４の周縁に掛かり止まって、グリップ部材の長板形状の部分とフック３２の先端の鈎状部分の間で上ケース１/下ケース２の側壁を挟持した形態となる。そして、この形態で、各グリップ部材３は、下ケース２と上ケース１とを連結すると共に、各グリップ部材３が、下ケース２と上ケース１に対して固定される。
【００３３】
そして、最後に、下ケース２の下方より、下ケース２のネジ孔２１を通して雄ネジを、上ケース１の突部１１の雌ネジにネジ止めし組み立てを完了する。
ここで、このように上ケース１と下ケース２とに組み付けられるグリップ部材３によれば、上ケース１と下ケース２の連結部材や、上ケース１と下ケース２のつなぎ目のカバーとしての役割を兼ねる簡易な構造によって強固にグリップ部材３をタコメータに組み付け、ハンドヘルドする際のグリップ性の向上を実現することができる。
【００３４】
以上、本発明の実施形態について説明した。
なお、本実施形態で示したタコメータのグリップ部材３やキーモジュールの構造や、各キーやケースの形状や配置関係は、タコメータ以外の任意のハンドヘルド型の測定装置にも同様に適用することができる。
【図面の簡単な説明】
【００３５】
【図１】本発明の実施形態に係るハンドヘルド型のタコメータの外観を示す図である。
【図２】本発明の実施形態に係るハンドヘルド型のタコメータの上ケースの構造を示す図である。
【図３】本発明の実施形態に係るハンドヘルド型のタコメータの下ケースの構造を示す図である。
【図４】本発明の実施形態に係るハンドヘルド型のタコメータのグリップ部材の構造を示す図である。
【図５】本発明の実施形態に係るハンドヘルド型のタコメータのキートップモジュールの構造を示す図である。
【図６】本発明の実施形態に係るハンドヘルド型のタコメータのキートップモジュールの上ケースへの組み付け構造を示す図である。
【図７】本発明の実施形態に係るハンドヘルド型のタコメータの上ケースと下ケースとグリップ部材の組み付け構造を示す図である。
【符号の説明】
【００３６】
１…上ケース、２…下ケース、３…グリップ部材、４…バッテリ蓋、５…キートップモジュール、６…液晶表示装置、７…インジケータランプ、８…投入射部、１１…突部、１２…鈎受、１３…ボス、１４…軸受部、１５…凸字形状孔、２１…ネジ孔、２２…鈎部、２３…凹形状部、２４…逆凸字形状孔、３１…凸凹形状部、３２…フック、５１…測定キートップ、５２…コマンドキートップ、５３…ボス孔、５４…可撓部、５５…揺動軸、６１…表示画面。
【図１】
2008170372.tif 000003
【図２】
2008170372.tif 000004
【図３】
2008170372.tif 000005
【図４】
2008170372.tif 000006
【図５】
2008170372.tif 000007
【図６】
2008170372.tif 000008
【図７】
2008170372.tif 000009